(57)【特許請求の範囲】
【請求項１】
金庫等の収納空間の入口に臨む紙幣送入路に送入させ、その紙幣を前記紙幣送入路の収納空間と反対側の位置に退避させてある押板により前記収納空間の入口の上下辺を形成している上部ガイドと下部ガイドを乗り越える位置まで押し込み、押し込まれた紙幣を前記収納空間内に前記入口方向に付勢して設けられた受板により受け止めさせ、前記押板を前記退避位置まで復帰させるとともに、前記受板に受け止められている紙幣を前記受板と前記上部ガイド及び下部ガイドとの間に挟持して保持する紙幣収納装置において、
常時においては、前記上部ガイドの紙幣送入路の入口側端部至近位置の前記上部ガイドの延長線上又はその延長線よりも前記収納空間内側に僅かに寄った位置を占めるように前記収納空間の上端部から下方に延びるピンを設け、
前記押板が前記押し込み位置まで移動されたとき前記ピンを前記押板の移動方向と反対方向にその移動された押板を超える位置まで移動させ、かつ、前記押板が前記退避位置まで復帰したとき前記ピンを当初位置に復帰させる手段を備え、
前記押板が前記押し込み位置まで移動され、かつ前記退避位置まで復帰されたとき、前記押板により最後に押し込まれた紙幣の後端が前記紙幣送入路よりも前記収納空間内側に変位されているようにしたこと、
を特徴とする紙幣収納装置。
【請求項２】
前記押板が前記押し込み位置まで移動されたとき前記ピンを前記押板の移動方向と反対方向にその移動された押板を超える位置まで移動させ、かつ、前記押板が前記退避位置まで復帰したとき前記ピンを当初位置に復帰させる手段は、前記押板が前記押し込み位置まで移動されたとき前記ピンを前記押板の移動方向と反対方向にその移動された押板を超える位置まで移動させる伝動手段と、前記押板が前記退避位置まで復帰したとき前記ピンを当初位置に復帰させる復帰手段とからなることを特徴とする請求項１に記載の紙幣収納装置。
【請求項３】
伝動手段は、前記押板の退避位置と押し込み位置まで移動を案内するガイド軸と、ピンを支持し、前記押板の移動方向と平行な方向に移動自在に設けられたピン支持部材と、軸を中心に回転自在に取り付けられ、一端部が前記ピン支持部材に枢支され、他端部に押し込み位置まで移動された前記ガイド軸の先端が当たって前記軸を中心に回転されるレバーとからなることを特徴とする請求項２に記載の紙幣収納装置。
【請求項４】
ピンは、収納空間の上端部からその収納空間の高さの半分よりも低い位置までの長さを有することを特徴とする請求項１，２又は３に記載の紙幣収納装置。
【請求項５】
ピン支持部材は、垂直方向に伸びる連結部材を有し、その連結部材の上端部と下端部に備えたスリーブに紙幣収納装置本体に固定された平行な軸を摺動自在に挿通されていることを特徴とする請求項１，２，３又は４に記載の紙幣収納装置。
【発明の詳細な説明】
【技術分野】
【０００１】
本発明は、搬送路末端から紙幣が横長垂直状態で金庫等の収納空間の入口に臨む紙幣送入路に送入される度に、その紙幣を押板で前記入口を越えて収納空間内に押し込み、順次重ね合せた状態で収納する紙幣収納装置に関する。
【背景技術】
【０００２】
紙幣収納装置には、搬送路末端まで横長垂直状態で搬送されてきた紙幣が収納空間の入口に臨む紙幣送入路に送入される度に、その紙幣を前記紙幣送入路の収納空間と反対側に退避させてある押板で収納空間の入口の上下辺を形成している上部ガイドと下部ガイドを乗り越える位置まで押し込み、その押し込まれた紙幣を収納空間内に入口方向に付勢して設けられた受板で受け止め、押板を退避位置まで復帰させるとともに、受板に受け止められている紙幣をその受板と上部ガイド及び下部ガイドとの間に挟持して保持するものがある。
【０００３】
このような紙幣収納装置は、搬送路を搬送されてくる紙幣を所定の金庫又は収納箱（以下、金庫という。）内に能率的に収納できる長所を有しているので、パチンコ機等の遊技機を多数整列して設置してある遊技島の台間玉貸し機等が取り込んだ紙幣を遊技島端部まで搬送し、金庫に収納するために広く用いられている。
【特許文献１】特許第３５１１９８３号公報
【発明の開示】
【発明が解決しようとする課題】
【０００４】
しかし、従来の紙幣収納装置においては、図４（ａ）に示すように、金庫１の収納空間２の入口を形成する上部ガイド３及び下部ガイド４は、紙幣送入路５から等しい位置に設けられていた。さらに詳述すると、上部ガイド３はその下端が上端よりも収納空間側に存在する下り傾斜面を有し、下部ガイド４はその上端が下端よりも収納空間側に存在する傾斜面を有しており、上部ガイド３の上端と下部ガイド４の下端が共通の第１垂直面上に存在し、上部ガイド３の下端と下部ガイド４の上端が共通の第２垂直面上に存在し、第１垂直面よりも第２垂直面が収納空間２側に存在する。
【０００５】
このような上部ガイド３と下部ガイド４の位置関係のために、図示されていない紙幣搬送路末端から紙幣送入路５に送入された紙幣Ｎが退避位置から収納空間２方向に移動される押板６により収納空間２側に押し込まれる際の挙動は、次のようになる。すなわち、退避位置から収納空間方向に移動する押板６に押されて移動する紙幣Ｎの上辺部と下辺部がほぼ同時に上部ガイド３と下部ガイド４の傾斜面に押し当てられて、その傾斜面に沿って曲げられ、さらに進む押板６に押されて、遂には上下のガイド３，４の端部（上部ガイドの下端及び下部ガイドの上端）を乗り越えて、その紙幣Ｎは収納空間２に押し入れられる(収納される)。そして、上下のガイド３，４の端部を乗り越えると同時に、その紙幣Ｎは収納空間２のコイルばねなどの付勢手段７により奥から入口方向に付勢されている受板８に受け止められ、押板６と受板８又は先に収納されて受板８に支持されている紙幣との間に挟持される。その後、押板６は退避位置に復帰されるため、収納されて受板８の付勢力を受ける紙幣は上部ガイド３と下部ガイド４の（紙幣送入路５に対して）裏面に押し当てられた状態で保持される。
【０００６】
ところで、搬送路末端から紙幣送入路５に到達する紙幣は、様々な要因により、必ずしもすべての紙幣が正常な姿勢で送入されるとは限らない。すなわち、下辺が紙幣送入路５の底面に接触した状態で送入される紙幣もあれば、下辺が紙幣送入路５の底面に接触せずに、その底面から例えば２，３ないし５ｍｍ程度浮いた状態で送入される紙幣もあるなど、紙幣の高さ位置が不揃いであることが少なくない。そして、押板６で押し込まれる時は、その紙幣の上辺と下辺が同時に上下のガイド３，４の傾斜面に接触しながら移動されるため、すなわち、紙幣に対してほとんど上下方向の移動力を与えられずに上下のガイド３，４を乗り越えるので、収納空間２側に移動されて受板８に受け止められた状態でも、また、押板５が退避位置に後退して、受板８と上下のガイド３，４との間に挟持された状態でも、紙幣送入路５に送入されたときの紙幣の高さの不揃いがそのまま保持されてしまう。
【０００７】
この上下のガイド３，４に保持されている紙幣に高さの不揃いがあるため、各紙幣は完全な垂直姿勢を保つのではなく、残留応力によりそれそれ固有の湾曲又は屈曲した姿勢を復元しようとする。そのため、図４（ｂ）に例示するように、収納されたすべての紙幣Ｎの湾曲又は屈曲した姿勢の集積により、収納空間２側から紙幣送入路５側への膨らみが大きくなり、紙幣送入路５に後に送入される紙幣が、先に収納されている紙幣の後端に衝突し、紙幣送入路５に紙幣がジャムする虞がある。
【０００８】
上記の問題を解決するため、本出願人は、先の出願明細書（特願２００７−２９４５９０）において、図５に示すように、紙幣送入路５に送入される紙幣が金庫に先に収納された紙幣と衝突しないようにするため、収納空間２の入口を形成する上部ガイド３と下部ガイド４の内、上部ガイド３を、紙幣送入路に送入された紙幣が押板６で収納空間２に向けて押し込まれる際にその紙幣の上辺が上部ガイド３に押し当てられて乗り越えた後に、その紙幣の下辺が下部ガイド４に押し当てられて乗り越えるように、下部ガイド４よりも紙幣送入路側に寄った位置に設けたことを特徴とする紙幣収納装置を提案した。
【０００９】
上記構成により、押板６により収納空間２に向けて押される紙幣は、その上辺が先に上部ガイド３に押し当てられ、上部ガイドの下端を乗り越える過程で、その紙幣を下向きに移動させる力が作用するため、紙幣送入路５の底面から浮いた状態で送入された紙幣は、その下辺が紙幣送入路５の底面に接触して高さが矯正され、紙幣の上辺は上部ガイド３を乗り越えると同時に受板８又は受板に支持されている紙幣に押し当てられるため、紙幣は矯正された高さを維持し、これと同時に、紙幣の下辺が下部ガイド４に押し当てられてその下部ガイド３の上端を乗り越え、受板８又は受板に支持されている紙幣に押し当てられる。その後、押板６が退避位置まで後退するのに伴い、収納空間２の入口方向に付勢されている受板８が、収納された紙幣を上下のガイド３，４との間に挟持する。従って、収納された紙幣は、すべてがその下辺を金庫の底面１ｂに接触させて高さが揃った状態で受板８により上下のガイドに押し当てられるので、垂直状態を維持しようとする。その結果、収納された紙幣が紙幣送入路５に膨らむことがないか、あるとしても極わずかとなる。
【００１０】
しかしながら、上記の提案に係る紙幣収納装置によれば、収納空間に収容された紙幣の高さが整然と揃うという効果は得られるが、膨らみ防止効果はまだ十分とは言えないことが、様々な実験により判明した。
【００１１】
そこで、本発明は、さらに改善して、収納空間に収容されている紙幣に多少の膨らみが生じても、後に送入される紙幣が先に収容されている紙幣と衝突することが確実に防止されるようにした紙幣収納装置を提供することを目的としている。
【課題を解決するための手段】
【００１２】
上記課題を解決するため、本発明は、金庫等の収納空間の入口に臨む紙幣送入路に送入された紙幣を前記紙幣送入路の収納空間と反対側の位置に退避させてある押板により前記収納空間の入口の上下辺を形成している上部ガイドと下部ガイドを乗り越える位置まで押し込み、押し込まれた紙幣を前記収納空間内に前記入口方向に付勢して設けられた受板により受け止めさせ、前記押板を前記退避位置まで復帰させるとともに、前記受板に受け止められている紙幣を前記受板と前記上部ガイド及び下部ガイドとの間に挟持して保持する紙幣収納装置において、（ａ）常時においては、前記上部ガイドの紙幣送入路の入口側端部至近位置の前記上部ガイドの延長線上又はその延長線よりも前記収納空間内側に僅かに寄った位置を占めるように前記収納空間の上端部から下方に延びるピンを設け、（ｂ）前記押板が前記押し込み位置まで移動されたとき前記ピンを前記押板の移動方向と反対方向にその移動された押板を超える位置まで移動させ、かつ、前記押板が前記退避位置まで復帰したとき前記ピンを当初位置に復帰させる手段を備え、（ｃ）前記押板が前記押し込み位置まで移動され、かつ前記退避位置まで復帰されたとき、前記押板により最後に押し込まれた紙幣の後端が前記紙幣送入路よりも前記収納空間内側に変位されているようにしたことを特徴としている。
【００１３】
上記構成により、紙幣送入路に送入されて、押板により収納空間に向けて押される紙幣は、上部ガイド及び下部ガイドを越えて収納空間内に移動され、受板又は受板に支持されている紙幣に押し当てられる。押板の退避とともに、その紙幣は上部ガイド及び下部ガイドと受板との間に挟持される。この過程において、押板が上部ガイドと下部ガイドを結ぶ面を越えて収納空間内の所定の押し込み位置まで移動されるときに、紙幣はその後端がピンに当接又は近接する位置まで移動されて、収容空間に収容される。そして、押板が押し込み位置に到達したとき、ピンが押板の端部よりも収納空間と反対側の位置まで移動される。この瞬間にピンは紙幣の後端を湾曲させ、かつ、その紙幣の後端が弾性復帰する位置まで移動し、その直後に押板が退避位置に復帰され、これとともに、ピンは当初位置に復帰される。そのため、紙幣の後端はピンにより紙幣送入路から収納空間側に変位された状態で保持される。従って、その後に紙幣送入路に送入される紙幣が先に収容された紙幣の後端に衝突することは確実に防止される。
【００１４】
前記押板が押し込み位置まで移動されたときピンを押板の移動方向と反対方向にその移動された押板を超える位置まで移動させ、かつ、押板が退避位置まで復帰したとき前記ピンを当初位置に復帰させる手段は、押板が押し込み位置まで移動されたとき前記ピンを押板の移動方向と反対方向にその移動された押板を超える位置まで移動させる伝動手段と、押板が退避位置まで復帰したとき前記ピンを当初位置に復帰させる復帰手段とからなる
ことが望ましい。
【００１５】
上記伝動手段は、前記押板の退避位置と押し込み位置まで移動を案内するガイド軸と、ピンを支持し、前記押板の移動方向と平行な方向に移動自在に設けられたピン支持部材と、軸を中心に回転自在に取り付けられ、一端部が前記ピン支持部材に枢支され、他端部に押し込み位置まで移動された前記ガイド軸の先端が当たって前記軸を中心に回転されるレバーとからなることが望ましい。
上記構成により、押板の往復移動と連動してガイド軸が押し込み位置まで移動すると、ガイド軸の先端がレバーを回転させ、レバーがピン支持部材を介してピンを所定位置まで移動させる。
【００１６】
上記ピンは、収納空間の上端部からその収納空間の高さの半分よりも低い位置までの長さを有することが望ましい。
ピンがこの程度の長さを有する場合は、ピンにより変位される紙幣の下部が紙幣送入路にはみ出して後続紙幣の送入を妨げることがない。
また、ピン支持部材は、垂直方向に伸びる連結部材を有し、その連結部材の上端部と下端部に備えたスリーブに紙幣収納装置本体に固定された平行な軸を摺動自在に挿通されていることが望ましい。
上記構成により、ピン支持部材が伝動手段及び復帰手段により移動されるとき、ピン支持部材は上下両端部において平行な軸に案内されて摺動する。
【発明の効果】
【００１７】
請求項１の発明によれば、押板が押し込み位置に到達した後、退避位置に復帰されると、紙幣送入路に送入された紙幣の後端がピンにより紙幣送入路から収納空間側に変位された状態で保持されるので、その後に紙幣送入路に送入される紙幣が先に収容された紙幣の後端に衝突することは確実に防止される。
【００１８】
請求項２の発明によれば、押板を移動させる機構をピン移動に活用することができ、コストダウンを図ることができる。
【００１９】
請求項３の発明によれば、押板の押し込み位置まで移動したとき、ピンを紙幣の後端を収容空間側に移動させるための伝動手段を簡単な構成で実現することができる。
【００２０】
請求項４の発明によれば、ピンにより変位される紙幣の下部が紙幣送入路にはみ出して後続紙幣の送入を妨げることがない。
請求項５の発明によれば、上下の平行な軸により高い安定性を持ってピンを移動させることができる。
【発明を実施するための最良の形態】
【００２１】
次に、本発明の実施の形態について、図１ないし図３に基づいて説明する。図１は本発明に係る紙幣収納装置の一部を省略した平面図、図２は一部を省略した正面図、図３は作用説明図である。図４、５の従来装置の構成要素と同一の構成部材には、同一の符号を用いる。
【００２２】
金庫１の収納空間２は、上部ガイド３と下部ガイド４により形成された入口を有し、その入口の図面左側において入口に望む紙幣送入路５が設けてあり、その紙幣送入路５には、図示されていない紙幣搬送路の末端から紙幣が横長垂直状態で、図１においては紙面の下側から上向きに、図２においては紙面に垂直上側から下向きに送入されるように構成されている。
【００２３】
通常の待機時において紙幣送入路５の収納空間２と反対側の退避位置に保持されている押板６は、紙幣送入路５に紙幣が１枚送入されたことを図示されていない紙幣センサにより検知するたびに、後述される押板移動機構６０により、紙幣送入路５に存在する紙幣を収納空間２側まで、すなわち、上下のガイド３，４を越えた所定の押し込み位置まで垂直状態を維持したまま移動され、押し込み位置まで到達した後、退避位置に復帰されるように構成されている。また、収納空間２内には、コイルばねなどの付勢手段７により収納空間の入口方向に常に付勢されている受板８が設けてある。受板８は、上下のガイド３，４により受け止められる。
【００２４】
押板移動機構６０は、金庫１の上面板１１（又は金庫を着脱自在に収容する収容箱（図示せず）の上面板。以下、同じ。）に固定されたモータ６１と、一端が押板６に固着され、他端に縦長溝状のカム孔を有するカム６２を備えた作動棒６３と、一端はモータの回転軸に固定され、他端が直接又はローラを介してカム６２のカム孔に遊挿されているクランク６４とから構成されている。
【００２５】
押板６には、紙幣送入路５の先端部と後端部付近において水平なガイド軸６５の一端が固着され、各ガイド軸６５は金庫１の上面板に固定された軸受６６に完全な水平状態を維持しながら摺動可能に支持されている。
【００２６】
従って、紙幣送入路５への紙幣送入が検知されるたびにモータ６１が１回転されることにより、押板６は退避位置から押し込み位置まで移動された後、退避位置に復帰されるようになっている。
【００２７】
図１及び図２において、Ｐは、本発明により新規に設けられたピンである。ピンＰは、紙幣送入路５への紙幣送入方向に対して直角方向に往復移動自在に取り付けられたピン支持部材９に支持されている。ピン支持部材９は、金庫の上面板とほぼ等しい高さに設けられ、上端部と下端部にスリーブ９１ａ，９１ｂを有する連結部材９２の上端部に固着され、スリーブ９１に金庫の上端部及び下端部付近に設けられた支軸９３ａ，９３ｂが摺動自在に挿入されて、ピンＰの垂直状態を保って安定して水平方向に移動できるように取り付けられている。ピンＰの長さは、紙幣送入路５に送入される紙幣の平均的高さの半分をやや超える程度である。そして、ピン支持部材９には、復帰手段の一例として、一端が金庫に固定されたコイルバネ９４の他端が結合されている。
【００２８】
ピンＰは、常時は所定位置、すなわち、上部ガイド３の紙幣送入路の入口側端部至近位置の上部ガイド３の延長線上又はその延長線よりも収納空間２内側に僅かに寄った位置に、収納空間２の上端部から垂直下方に延びている。
【００２９】
ピン支持部材９には、紙幣送入路５と反対側の端部付近に軸９５が設けられ、その軸は金庫の上面板１１に長手方向中間位置において軸９６周りに回転自在に取り付けられたレバー９７の一端に形成された長孔９７ａに挿入されている。レバー９７の他端には、起立片９７ｂが設けられ、その起立片は、ピン支持部材９が定常位置に存在するときに、紙幣搬送路末端側のガイド軸６５の移動線上に存在し、押板６が所定押し込み位置まで移動されたときに、そのガイド軸６５が起立片９７ｂに当たってレバー９７を軸９６を中心に回転させるように構成されている。これらのガイド軸６５、レバー９７及びピン支持部材９が、押板６の移動と連動してピンＰを所定範囲で往復移動させる伝動手段を構成している。
【００３０】
続いて、上記構成による本発明の一貫した作用を図３に基づいて説明する。
図３（ａ）に示すように、紙幣送入路５に送入されたことが検知されて、モータ６１が回転駆動されると、クランク６４，カム６２及び作動棒６３を介して押板６が上部ガイド３と下部ガイド４を結ぶ面を越えて収納空間２内の所定の押し込み位置まで移動されるとき、図３（ｂ）に示すように、紙幣Ｎはその後端がピンＰに当接又は近接する位置まで移動されて、収容空間２に収容される。  
そして、図３（ｃ）に示すように、押板６が押し込み位置に到達したとき、伝動手段によりピンＰが押板６の端部よりも収納空間２と反対側の位置まで移動される。この瞬間にピンＰは紙幣Ｎの後端を湾曲させ、かつ、その紙幣の後端が弾性復帰する位置まで移動する。その直後に図３（ｄ）に示すように、伝動手段により押板６が退避位置に復帰され、これとともに、ピンＰは復帰手段９４により当初位置に復帰される。そのため、紙幣Ｎの後端はピンＰにより紙幣送入路５から収納空間２側に変位された状態で保持される。
【００３１】
従って、その後に紙幣送入路５に送入される紙幣が先に収容された紙幣の後端に衝突することは確実に防止される。
【００３２】
ピンを移動させる手段は、モータ６１の１回転終了間際にピン支持部材９を移動させるように構成することもできる。しかし、押板のガイド軸６５を用いる場合は、レバー９７を枢支する簡単な構成で済む。押板６を移動させる機構も、図示のモータ６１，クランク機構などに制限されず、モータとボールねじの組合せ、ソレノイドとプランジャの組合せ、その他の既知の駆動機構を用いることができる。また、上部ガイド３と下部ガイド４は、図４、図５に示されたいずれを用いても良い。
【図面の簡単な説明】
【００３３】
【図１】本発明に係る紙幣収納装置の一部を省略した平面図。
【図２】一部を省略した正面図。
【図３】作用を時系列的に説明する説明図。
【図４】従来の紙幣収納装置における構成と作用を示す要部断面図。
【図５】先の出願において提案した紙幣収納装置を示す断面図。
【符号の説明】
【００３４】
１      金庫（又は収納箱等）
２      収納空間
３      上部ガイド
４      下部ガイド
５      紙幣送入路
６      押板
７      付勢手段
８      受板
６０    伝動手段
６１    モータ
６２    カム
６３    作動棒
６４    クランク
６５    ガイド軸
６６    軸受
Ｐ      ピン
９      ピン支持部材
９１ａ，９１ｂ  スリーブ
９２    連結部材
９４    復帰手段（コイルバネ）
９７    レバー
９７ｂ  起立片
【図１】
0005266458.tif 000002
【図２】
0005266458.tif 000003
【図３】
0005266458.tif 000004
【図４】
0005266458.tif 000005
【図５】
0005266458.tif 000006